(57)【要約】【課題】ドアハンドル本体をドアに固定するための取付手段の取付位置を任意に決めることが可能な構造を備えたドアハンドルを提供する。【解決手段】ドア２の一方の面２１に設置される一方のドアハンドル本体３Ａと、ドアの他方の面２２に設置される他方のドアハンドル本体３Ｂと、ドアを貫通して一方のドアハンドル本体と他方のドアハンドル本体とを連結する取付手段４とを備え、一方のドアハンドル本体及び他方のドアハンドル本体は、取付手段の取付位置を変更可能とする取付手段取付位置決め部５を備え、取付手段取付位置決め部は、ドアの面と対向してドアハンドル本体の延長方向に沿って延長するように設けられた溝部３５により形成されたことを特徴とする。【選択図】図１
2018012993.tif 000002
【特許請求の範囲】
【請求項１】
ドアの一方の面に設置される一方のドアハンドル本体と、ドアの他方の面に設置される他方のドアハンドル本体と、ドアを貫通して一方のドアハンドル本体と他方のドアハンドル本体とを連結する取付手段とを備え、
一方のドアハンドル本体及び他方のドアハンドル本体は、取付手段の取付位置を変更可能とする取付手段取付位置決め部を備え、
取付手段取付位置決め部は、ドアの面と対向してドアハンドル本体の延長方向に沿って延長するように設けられた溝部により形成されたことを特徴とするドアハンドル。
【請求項２】
取付手段は、ドアを貫通するボルトと、ボルトの一端を一方のドアハンドル本体の取付手段取付位置決め部に連結する第１連結部材と、ボルトの他端を他方のドアハンドル本体の取付手段取付位置決め部に連結する第２連結部材とを備えたことを特徴とする請求項１に記載のドアハンドル。
【請求項３】
第１連結部材は、ボルトの一端部が螺着するねじ孔を有したプレートと、プレートを一方のドアハンドル本体の取付手段取付位置決め部に固定する第１の固定部材とを備え、
第２連結部材は、ボルトの他端部に取付けられて他方のドアハンドル本体の取付手段取付位置決め部に位置決めされる取付部と、他方のドアハンドル本体を取付部に固定する第２の固定部材とを備えたことを特徴とする請求項２に記載のドアハンドル。
【発明の詳細な説明】
【技術分野】
【０００１】
本発明は、ドアに取付けられるドアハンドルに関する。
【背景技術】
【０００２】
従来のドアハンドルとしては、Ｃ字形（弓形）に形成されたドアハンドル本体（取手（把手））（特許文献１参照）や、長い棒体の両端に取付足部を備えたコ字形に形成されたドアハンドル本体（特許文献２参照）が、取付手段によりドアに取付けられる構成のものが知られている。
【先行技術文献】
【特許文献】
【０００３】
【特許文献１】特開２０１４−５８８４７号公報
【特許文献２】特開２０１０−１９６３０７号公報
【発明の概要】
【発明が解決しようとする課題】
【０００４】
従来のドアハンドルは、ドアハンドル本体をドアに固定するための取付手段の取付位置がドアハンドル本体の所定の位置、即ち、ドアハンドル本体の両端位置に決まってしまい、ドアハンドル本体に対する取付手段の取付位置を変更することができなかった。
つまり、上述したＣ字形（弓形）やコ字形のドアハンドル本体の場合、ドアの面に接するドアハンドル本体の両端部が取付手段によってドアに取付けられるため、ドアハンドル本体に対する取付手段の取付位置を変更することができないという課題があった。
このため、例えば図５（ｂ）に示すように、取付手段３００によって、ドア２００の錠の錠ケース２０１等の金物部分を避けてドアハンドル本体１００をドア２００に取付けようとする場合、ドア２００の面２０３に配置されている上の錠のシリンダー２０２とドアハンドル本体１００の上端部との間の距離Ａとドア２００の面２０３に配置されている下のシリンダー２０２とドアハンドル本体１００の下端部との間の距離Ｂとが異なる状態に取付けられることになってしまう場合がある。つまり、ドア２００の面２０３に配置されている上の錠のシリンダー２０２とドアハンドル本体１００の上端部との間の距離とドア２００の面２０３に配置されている下のシリンダー２０２とドアハンドル本体１００の下端部との間の距離とが同じになるようにドアハンドル本体１００をドア２００に取付けることができず、ドアハンドル本体１００とシリンダー２０２との意匠的なバランスを取ることが困難になることがあった。
本発明は、上記課題に鑑みてなされたもので、ドアハンドル本体をドアに固定するための取付手段の取付位置を任意に決めることが可能な構造を備えたドアハンドルを提供する。
【課題を解決するための手段】
【０００５】
本発明に係るドアハンドルは、ドアの一方の面に設置される一方のドアハンドル本体と、ドアの他方の面に設置される他方のドアハンドル本体と、ドアを貫通して一方のドアハンドル本体と他方のドアハンドル本体とを連結する取付手段とを備え、一方のドアハンドル本体及び他方のドアハンドル本体は、取付手段の取付位置を変更可能とする取付手段取付位置決め部を備え、取付手段取付位置決め部は、ドアの面と対向してドアハンドル本体の延長方向に沿って延長するように設けられた溝部により形成されたことを特徴とする。
また、取付手段は、ドアを貫通するボルトと、ボルトの一端を一方のドアハンドル本体の取付手段取付位置決め部に連結する第１連結部材と、ボルトの他端を他方のドアハンドル本体の取付手段取付位置決め部に連結する第２連結部材とを備えたことを特徴とする。
また、第１連結部材は、ボルトの一端部が螺着するねじ孔を有したプレートと、プレートを一方のドアハンドル本体の取付手段取付位置決め部に固定する第１の固定部材とを備え、第２連結部材は、ボルトの他端部に取付けられて他方のドアハンドル本体の取付手段取付位置決め部に位置決めされる取付部と、他方のドアハンドル本体を取付部に固定する第２の固定部材とを備えたことを特徴とする。
【発明の効果】
【０００６】
本発明に係るドアハンドルによれば、ドアハンドル本体が、取付手段の取付位置を変更可能とする取付手段取付位置決め部を備えたことにより、ドアハンドル本体をドアに固定するための取付手段の取付位置を任意に決めることが可能となる。
【図面の簡単な説明】
【０００７】
【図１】ドアにドアハンドルが取付けられた状態を示す断面図（実施形態１）。
【図２】ドアハンドルの分解斜視図（実施形態１）。
【図３】ドアにドアハンドルが取付けられた状態を示す断面図（実施形態２）。
【図４】ドアハンドルの分解斜視図（実施形態２）。
【図５】（ａ）は本発明のドアハンドルの取付例を示す図、（ｂ）は従来のドアハンドルの取付例を示す図。
【発明を実施するための形態】
【０００８】
実施形態１
図１及び図２に示すように、実施形態１に係るドアハンドル１は、ドア２の一方の面（例えば室外側となるドアの面）２１に設置される一方のドアハンドル本体３Ａと、ドア２の他方の面（例えば室内側となるドアの面）２２に設置される他方のドアハンドル本体３Ｂと、ドア２を貫通して一方のドアハンドル本体３Ａと他方のドアハンドル本体３Ｂとを連結する取付手段４とを備える。
即ち、ドア２を挟んでドア２の一方の面２１に配置された一方のドアハンドル本体３Ａとドア２の他方の面２２に配置された他方のドアハンドル本体３Ｂとが取付手段４によって連結されたことにより、一方のドアハンドル本体３Ａがドア２の一方の面２１に取付けられて他方のドアハンドル本体３Ｂがドア２の他方の面２２に取付けられた構成のドアハンドル１である。
【０００９】
ドア２は、例えば、横桟・縦框等の骨組みの両面にドアの面を形成する板１９；１９を組み付けて構成された所謂フラッシュドアである。
【００１０】
一方のドアハンドル本体３Ａ及び他方のドアハンドル本体３Ｂは、同じ形状に形成される。
ドアハンドル本体３Ａ；３Ｂは、一方向に長い長尺板により形成された前板３１と、前板３１を形成する長尺板の両方の長辺縁より同方向に立ち上がるように設けられて互いに平行に対向する各側板３２；３２と、各側板３２；３２を橋絡するように設けられて前板３１と互いに平行に対向する中板３３とを備えた構成である。
【００１１】
ドアハンドル本体３Ａ；３Ｂは、取付手段４の取付位置を変更可能とする取付手段取付位置決め部５を備える。
取付手段取付位置決め部５は、中板３３と各側板３２；３２とで囲まれた一方向に長い断面凹状の溝部３５により形成される。即ち、取付手段取付位置決め部５が、ドア２の面２１；２２と対向してドアハンドル本体３Ａ；３Ｂの延長方向に沿って延長するように設けられた溝部３５により形成されている。
【００１２】
取付手段４は、ドア２を貫通する寸切りボルト(頭部の無いボルト（全ねじ）)４１と、当該ボルト４１の一端を一方のドアハンドル本体３Ａの取付手段取付位置決め部５に連結する第１連結部材４２と、ボルト４１の他端を他方のドアハンドル本体３Ｂの取付手段取付位置決め部５に連結する第２連結部材４３とを備えている。
【００１３】
第１連結部材４２は、ボルト４１の一端部が螺着するねじ孔４４を有したプレート４５と、プレート４５を一方のドアハンドル本体３Ａの取付手段取付位置決め部５に固定する第１の固定部材としてのねじ４６とを備える。
【００１４】
第２連結部材４３は、ボルト４１の他端部に取付けられて他方のドアハンドル本体３Ｂの取付手段取付位置決め部５に位置決めされる取付部としての円形プレート状の連結環４７と、当該連結環４７をボルト４１に固定するナット４８と、他方のドアハンドル本体３Ｂを連結環４７に固定する第２の固定部材としてのねじ４９とを備える。
【００１５】
尚、ドア２の一方の面２１及び他方の面２２を形成する板１９；１９には、それぞれ、ボルト４１を貫通させるための貫通孔２３；２４が形成されている。
また、プレート４５にはねじ４６を貫通させる貫通孔５０が形成され、一方のドアハンドル本体３Ａの中板３３にはねじ４６を螺着させるねじ孔５１が形成されている。
また、連結環４７は、ボルト４１を貫通させる中央孔５２を備えるとともに、ねじ４９を螺着させるねじ孔５３；５３を備えた構成である。当該ねじ孔５３；５３は、連結環４７の円環外周面の互いに１８０°離れた位置から中央孔５２に向けて延長するように形成されている。この連結環４７の外周円の直径が、溝部３５を形成する各側板３２；３２の対向間寸法よりも若干小さい寸法に形成されている。
また、他方のドアハンドル本体３Ｂの各側板３２；３２には、ねじ４９を貫通させる貫通孔３６が形成されている。
【００１６】
ドアハンドル１の組付方法を説明する。
まず、一方のドアハンドル本体３Ａの取付手段取付位置決め部５の溝部３５の底面を形成する中板３３にプレート４５を載置し、ねじ４６を貫通孔５０に挿入してねじ孔５１に締結することにより、プレート４５を中板３３にねじ止めして固定する。この場合、上下のプレート４５；４５を、一方のドアハンドル本体３Ａの取付手段取付位置決め部５の延長方向の上下側（一端側及び他端側）にそれぞれ取付ける。
次に、ボルト４１の一端側をプレート４５のねじ孔４４に螺着させて一方のドアハンドル本体３Ａに上下のボルト４１；４１を固定した後、ドア２の一方の面２１側から各ボルト４１；４１の他端側を貫通孔２４；２３に貫通させて、各ボルト４１；４１の他端側をドア２の他方の面２２より突出させる。そして、この突出させた各ボルト４１；４１の他端側を連結環４７；４７の中央孔５２；５２に貫通させた後に、各ボルト４１；４１の他端部にナット４８；４８を締結することにより、ドアの他方の面２２とナット４８とで連結環４７を挟み込むようにして連結環４７を固定する。この際、連結環４７に形成されたねじ孔５３；５３が、垂直面であるドア２の他方の面２２と直交する水平面上に位置されるように、連結環４７を固定する。これにより、一方のドアハンドル本体３Ａが一方のドア面２１の所定の位置に固定される。
そして、他方のドアハンドル本体３Ｂの溝部３５の内側に連結環４７；４７及びナット４８；４８が収容されてかつ各側板３２；３２の先端側に形成された貫通孔３６；３６と連結環４７のねじ孔５３；５３とが一致するように他方のドアハンドル本体３Ｂを位置決めした状態で、ねじ４９を貫通孔３６に通して連結環４７のねじ孔５３に締結することにより、他方のドアハンドル本体３Ｂを連結環４７に固定する。これにより、他方のドアハンドル本体３Ｂが他方のドア面２２の所定の位置に固定される。
【００１７】
実施形態１のドアハンドル１によれば、ドアハンドル本体３Ａ；３Ｂの取付手段取付位置決め部５に対して取付手段４の位置を自由に設定できるようになるため、ドア２の内部の部材との干渉を回避することができるとともに、ドア２の面２１；２２より突出する部材とドアハンドル本体３Ａ；３Ｂとの意匠的なバランスを取ることができるようになる。
【００１８】
即ち、取付手段４の位置を決めるプレート４５の取付手段取付位置決め部５に対する取付位置を自由に決めることができるようになるため、例えば図５（ａ）に示すように、取付手段４によって、ドア２の錠の錠ケース２０１等の金物部分を避けてドアハンドル本体３Ａ；３Ｂをドア２に取付けようとする場合、ドア２の錠の錠ケース２０１等の金物部分を避けた位置にドア２の貫通孔２３；２４を形成して、上の取付手段４の位置を決めるプレート４５の取付手段取付位置決め部５に対する取付位置を下方に設定することによって、ドア２の面２１；２２に配置されている上の錠のシリンダー２０２；２０２とドアハンドル本体３Ａ；３Ｂの上端部との間の距離Ｃとドア２の面２１；２２に配置されている下のシリンダー２０２；２０２とドアハンドル本体３Ａ；３Ｂの下端部との間の距離Ｃとが同じになるように、ドアハンドル本体３Ａ；３Ｂをドア２に取付けることができるようになり、ドアハンドル本体３Ａ；３Ｂと上下のシリンダー２０２；２０２との意匠的なバランスを取ることができるようになる。尚、ドアハンドル本体３Ｂの各側板３２；３２の先端側に形成する貫通孔３６；３６は、取付手段４の位置に合わせて形成される。
【００１９】
また、実施形態１のドアハンドル１によれば、一方のドアハンドル本体３Ａの取付手段取付位置決め部５にプレート４５及びボルト４１を予め固定しておけるので、一方のドアハンドル本体３Ａをドア２の一方の面２１の所定の位置に固定する作業を容易に行える。
【００２０】
実施形態２
図３及び図４に示すように、実施形態２に係るドアハンドル１Ａは、一方のドアハンドル本体３Ｃと他方のドアハンドル本体３Ｂとが異なる形状に形成される。
一方のドアハンドル本体３Ｃは、一方向に長い長尺板により形成された前板３１と、長尺板の両方の長辺縁より同方向に立ち上がるように設けられて互いに平行に対向する各側板３２；３２と、各側板３２；３２を橋絡するように設けられて前板３１と互いに平行に対向する中板３３と、各側板３２；３２の先端側より互いに近づく方向に延長する各規制板３４；３４とを備えた構成であり、各規制板３４；３４の先端間は、後述するボルト６１の直径より若干大きい間隔を隔てたスリット３４Ｘに形成されている。
他方のドアハンドル本体３Ｂは、実施形態１で説明した他方のドアハンドル本体３Ｂと同じ形状である。
【００２１】
一方のドアハンドル本体３Ｃの取付手段取付位置決め部５Ａは、中板３３と各側板３２；３２と各規制板３４；３４とで囲まれた一方向に長い溝部３５Ａにより形成される。つまり、溝部３５Ａは、断面凹状の溝部の側壁を構成する各側板３２；３２の先端より各側板３２；３２と直交して互いに近づく方向に延長する各規制板３４；３４を備えた断面Ｃ字形状のような溝部３５Ａにより形成される。即ち、一方のドアハンドル本体３Ｃの取付手段取付位置決め部５Ａが、ドア２の一方の面２１と対向してドアハンドル本体３Ｃの延長方向に沿って延長するように設けられた溝部３５Ａにより形成されている。
他方のドアハンドル本体３Ｂの取付手段取付位置決め部５は、実施形態１で説明した他方のドアハンドル本体３Ｂの取付手段取付位置決め部５と同じである。
【００２２】
取付手段４Ａは、ドア２を貫通するボルト(頭部６２を有したボルト）６１と、当該ボルト６１の一端部である頭部６２を一方のドアハンドル本体３Ｃの取付手段取付位置決め部５Ａに連結する第１連結部材と、ボルト６１の他端を他方のドアハンドル本体３Ｂの取付手段取付位置決め部５に連結する第２連結部材とを備えている。
【００２３】
第１連結部材は、ボルト６１の頭部６２を一方のドアハンドル本体３Ｃの取付手段取付位置決め部５Ａに連結する溝部３５Ａの各規制板３４；３４により構成される。
第２連結部材は、実施形態１で説明した第２連結部材４３と同じである。
【００２４】
ドアハンドル１Ａの組付方法を説明する。
まず、一方のドアハンドル本体３Ｃの取付手段取付位置決め部５Ａの溝部３５Ａにボルト６１の頭部６２を嵌め込む。この場合、上下のボルト６１；６１を、一方のドアハンドル本体３Ｃの取付手段取付位置決め部５のスリット３４Ｘの延長方向の上下側（一端側及び他端側）のそれぞれ嵌め込む。
次に、ドア２の一方の面２１側から、一方のドアハンドル本体３Ｃの取付手段取付位置決め部５に嵌め込まれた状態の上下のボルト６１；６１の他端（先端）側を貫通孔２４；２３に貫通させて、各ボルト６１；６１の他端側をドア２の他方の面２２より突出させる。そして、この突出させた各ボルト６１；６１の他端側を連結環４７；４７の中央孔５２；５２に貫通させた後に、各ボルト６１；６１の他端部にナット４８；４８を締結することにより、ドアの他方の面２２とナット４８とで連結環４７を挟み込むようにして連結環４７を固定する。この際、連結環４７に形成されたねじ孔５３；５３が、垂直面であるドア２の他方の面２２と直交する水平面上に位置されるように、連結環４７を固定する。これにより、ボルト６１の頭部６２が一方のドアハンドル本体３Ｃの溝部３５Ａの各規制板３４；３４に係合して、一方のドアハンドル本体３Ｃが一方のドア面２１の所定の位置に固定される。
そして、他方のドアハンドル本体３Ｂの溝部３５の内側に連結環４７；４７及びナット４８；４８が収容されてかつ各側板３２；３２の先端側に形成された貫通孔３６；３６と連結環４７のねじ孔５３；５３とが一致するように他方のドアハンドル本体３Ｂを位置決めした状態で、ねじ４９を貫通孔３６に通して連結環４７のねじ孔５３に締結することにより、他方のドアハンドル本体３Ｂを連結環４７に固定する。これにより、他方のドアハンドル本体３Ｂが他方のドア面２２の所定の位置に固定される
【００２５】
実施形態２のドアハンドル１Ａによれば、実施形態１のドアハンドル１と同様に、ドアハンドル本体３Ｃ；３Ｂの取付手段取付位置決め部５Ａ：５に対して取付手段４Ａの位置を自由に設定できるようになるため、ドア２の内部の部材との干渉を回避することができるとともに、ドア２の面２１；２２より突出する部材とドアハンドル本体３Ｃ；３Ｂとの意匠的なバランスを取ることができるようになる（図５（ａ）参照）。
【００２６】
尚、実施形態では、円形プレート状の連結環４７を使用する例を示したが、矩形プレート状の連結環４７を使用してもよい。
また、実施形態では、連結環４７をドアの面とナットとで挟み込むようにして固定する構成としたが、連結環４７をボルト６１やボルト６１に螺着して固定する構成としてもよい。
また、ドア２は、所謂框ドアであってもよい。
また、ドア２は、開き戸、引戸、折れ戸のいずれであってもよい。
また、固定部材は、ねじ以外の固定部材、例えば、接着剤、ピン等を用いてもよい。
【符号の説明】
【００２７】
１；１Ａ  ドアハンドル、２  ドア、３Ａ；３Ｃ  一方のドアハンドル本体、
３Ｂ  他方のドアハンドル本体、４；４Ａ  取付手段、
５；５Ａ  取付手段取付位置決め部、３５；３５Ａ  溝部（取付手段取付位置決め部）、
４１；６１  ボルト、４２  第１連結部材、４３  第２連結部材、４４  ねじ孔、
４５  プレート、４６  ねじ（第１の固定部材）、４７  連結環（取付部）、
４９  ねじ（第２の固定部材）。
【図１】
2018012993.tif 000003
【図２】
2018012993.tif 000004
【図３】
2018012993.tif 000005
【図４】
2018012993.tif 000006
【図５】
2018012993.tif 000007